(57)【要約】【課題】  狭い場所に設置でき、ほこりやたばこの煙に強く誤動作しないで、管理の対象になっている事象の発生に店員が関与しているかどうかの判別を行なう遊技機付設処理装置および遊技場管理システムを提供する。【解決手段】  非接触方式でアンチコリジョン機能を有するＩＣカードのデータを読み書きする近接型のリーダライタを備え、客用の第１の非接触ＩＣカード６１を読み書き可能範囲内に保持する第１のカード保持部５３と、従業員用の第２の非接触ＩＣカード７１を読み書き可能範囲内に保持する第２のカード保持部５４と、管理データを格納するデータ記憶部と、遊技機に対する管理対象の事象が発生した時に第２の非接触ＩＣカードのカード側管理データについて中央管理装置から得られた管理側管理データと照合して中央管理装置に通知する制御部とを遊技機付設処理装置に有する。【選択図】        図５
2005080679.tif 000002
【特許請求の範囲】
【請求項１】
複数の遊技機の各々に隣接して付設され、中央管理装置と通信回線網を介して接続され、非接触方式でアンチコリジョン機能を有するＩＣカードのデータを略１０ｃｍ以下の範囲内で読み取りあるいは書き込む近接型のリーダライタを備える遊技機付設処理装置であって、
遊技機の客のＩＤデータを含む管理データを格納して該客が使用する第１の非接触ＩＣカードを、該カードのアンテナ部が前記読み取りあるいは書き込みの範囲内となるように前記リーダライタ内で保持する第１のカード保持部と、
遊技場の従業員のＩＤデータを含む管理データを格納して該従業員が使用する第２の非接触ＩＣカードを、該カードのアンテナ部が前記読み取りあるいは書き込みの範囲内となるように前記リーダライタ内で保持する第２のカード保持部と、
前記通信回線を介して中央管理装置から得られた管理側管理データおよび前記各非接触ＩＣカードから読み出されたカード側管理データを格納するデータ記憶部と、
前記リーダライタ内の前記第１の非接触ＩＣカードと前記第２の非接触ＩＣカードに対して呼び出しコードを出力し、該コードに対して前記第１の非接触ＩＣカードと前記第２の非接触ＩＣカードとから同時に異なるＩＤデータが返信された場合、アンチコリジョン機能により各カードとの間で個別にデータの読み書きを実施し、前記遊技機に対する管理対象の事象が発生した時に、少なくとも前記第２の非接触ＩＣカードのカード側管理データについて、前記通信回線を介して中央管理装置から得られた管理側管理データと照合し、照合結果を中央管理装置に通知する制御部と
を有することを特徴とする遊技機付設処理装置。
【請求項２】
前記遊技機付設処理装置は、前記従業員が管理データを入力可能なキー入力部を備え、
前記制御部は、該従業員が前記キー入力部から入力した管理データについてもカード側管理データとして、前記管理側管理データと照合する
ことを特徴とする請求項１に記載の遊技機付設処理装置。
【請求項３】
前記制御部は、前記管理側管理データと前記カード側管理データとの前記照合結果が一致する場合には、データ記憶部の前記カード側管理データを削除する
ことを特徴とする請求項１又は２に記載の遊技機付設処理装置。
【請求項４】
前記第１の非接触ＩＣカードが第１のカード保持部に配置されたことを検出する第１カード検出部と、
前記第２の非接触ＩＣカードが第２のカード保持部に配置されたことを検出する第２カード検出部と、
前記第１カード検出部あるいは前記第２カード検出部で検出された前記カードに対してデータ読み書き用の電力を供給する電力供給部と
を備え、
前記制御部は、前記電力供給部に対し、前記第１カード検出部あるいは前記第２カード検出部にてカードが検出された後、前記カードとの間で前記各管理データを読み書きする時間のみ、電力を供給させる
ことを特徴とする請求項１〜３の何れかに記載の遊技機付設処理装置。
【請求項５】
前記第２の非接触ＩＣカードは、前記第１の非接触ＩＣカードよりも、前記リーダライタにカードを挿入する方向の断面における縦横寸法で少なくとも一方の寸法が小さくなるように形成され、
前記第２のカード保持部のカード挿入口は、前記第２の非接触ＩＣカードは挿入可能であるが前記第１の非接触ＩＣカードは挿入不能となる外形寸法であるように形成される
ことを特徴とする請求項１〜４の何れかに記載の遊技機付設処理装置。
【請求項６】
前記第２のカード保持部の前記リーダライタにカードを挿入する方向の寸法は、前記第２の非接触ＩＣカード内のアンテナ部が前記読み取りあるいは書き込みの範囲内でありながら、前記第２の非接触ＩＣカードの非挿入側端を前記従業員により手動で取り出し可能であるように前記第２のカード保持部のカード挿入口から突出させた寸法分だけ、前記第２の非接触ＩＣカードの挿入方向の寸法よりも小さく形成される
ことを特徴とする請求項１〜５の何れかに記載の遊技機付設処理装置。
【請求項７】
請求項１〜６の何れかに記載の遊技機付設処理装置と、該遊技機付設処理装置が接続される各遊技機と、通信回線網を介して各遊技機付設処理装置と接続される中央管理装置とから構成される遊技場管理システムであって、
前記中央管理装置は、前記遊技機付設処理装置に対して通信回線を介して予め管理側管理データを送信し、
前記遊技機付設処理装置は、予め受信した管理側管理データをデータ記憶部に格納しておき、前記第２の非接触ＩＣカードのカード側管理データを、データ記憶部から読み出した管理側管理データと照合する
ことを特徴とする遊技場管理システム。
【請求項８】
請求項２に記載の遊技機付設処理装置と、該遊技機付設処理装置が接続される各遊技機と、通信回線網を介して各遊技機付設処理装置と接続される中央管理装置とから構成される遊技場管理システムであって、
前記中央管理装置は、前記従業員が前記キー入力部から入力する管理データに対応する前記管理側管理データを、通信回線を介して所定の時間毎に変更する
ことを特徴とする遊技場管理システム。
【発明の詳細な説明】
【技術分野】
【０００１】
本発明は、パチンコ台等の遊技機に付設して設けられる処理装置およびその付設処理装置を含む遊技場管理システムに関する。
【背景技術】
【０００２】
従来の遊技機例えばパチンコ台の中に、磁気カードやＩＣカードで形成された遊技客カードにより遊技媒体例えばパチンコ玉の貸出しを受け、また、種々のサービス（飲食物の配達など）を受けることができるようになったものがある。とくに、近年ＩＣカードで形成された遊技客カードを用いて、遊技の終了時における遊技に関する権利を示すデータ例えば貯玉数を示すデータを遊技客カードに書き込んで遊技場から帰り、次の来場時にそのデータに応じた遊技媒体の貸出しを受けて遊技をすることを可能にする場合がある。また、遊技客カードとしては、接触方式で内容を読み出すカードが用いられており、遊技機付設処理装置側では、接触方式のリーダライタを用いている。
【０００３】
このようなシステムにおいては、遊技機に隣接する付設処理装置に遊技客カードを挿入させてその有効性の判定を行った後、遊技の開始やサービスの提供を可能にするのが一般的である。付設処理装置あるいは遊技場の中央管理装置にその判定のためのデータを蓄積させておき、その蓄積データを参照して有効性の判定の行うこととしている。そのため、遊技客カードが挿入された後、一旦そのカードから情報を読み出して、付設処理装置あるいは中央管理装置において有効性の判定を行うようにしている（例えば、特許文献１参照）。
【０００４】
また、パチンコ台を備えた遊技場においては、パチンコ台に対する不正行為の防止のため、監視をする必要がある。ここで言う不正行為としては、パチンコ台のガラス戸を開け、釘に変更を加えること、パチンコ台の木枠を開け、内部の電子部品例えばプログラムを記憶しているROMを入れ替えることなどがある。これらの防止のために、例えば、パチンコ台にマイクロスイッチを付け、木枠やガラス戸が開放されたときにこれを検知して、遊技場の全体を監視する中央管理装置に知らせるようにしている。
【０００５】
遊技場では、遊技機の動作不良や玉詰まり解消等のために木枠やガラス戸を店員が開けることもあり、中央管理装置において木枠やガラス戸を開けたのが店員かそれ以外のものかを区別するために、付設処理装置で店員カードの読み取りができるものが知られている。この店員カードの読み取りは、遊技機の動作不良時意外にも、その他の管理のため監視の対象になっている事象が生じた場合にも同様に店員が関与しているかどうかの判別を行なうために用いられており、例えば、客が遊技機付設処理装置を使って休憩の処理を行なう場合に、休憩の開始時や休憩の終了時に店員が開始キー、終了キーを押すようにしているが、これらのキーを客が誤って押すこともあり、店員によるキー操作の確認にも用いられている（例えば、特許文献２参照）。
【０００６】
上記したような遊技装置が付設処理装置に接続され、さらに、各付設処理装置が通信回線網を介して中央管理装置と接続される構成の遊技場管理システムでは、各遊技装置を管理するために、各遊技装置に対してシステム上の固有の識別符号（ＩＤ）が必要である。また、一般的に遊技場では、各遊技装置の使用者が従業員をランプ等で呼び出す場合等のために、各遊技装置の遊技場における配置（位置）を識別する必要があり、そのための配置識別用のＩＤが必要である。システム上のＩＤと配置識別用のＩＤは、同一である場合もあるし、異なる場合もある。
【０００７】
【特許文献１】特開２００３−７１０８２号公報（３−９頁、図５等）
【特許文献２】特開２０００−１６７２０８号公報（３〜６頁、図１、２等）
【発明の開示】
【発明が解決しようとする課題】
【０００８】
しかし、上記した従来の遊技機の付設処理装置に設けられた接触方式のリーダライタに、遊技客カードに加えて店員カードまで読みとらせようとすると、モータにより駆動されるローラ等によりカードを読み取りヘッドまで導くローダが２組必要になり、遊技機の間等の狭い場所に設置される付設処理装置内にリーダライタを設けることが難しくなるという問題がある。
【０００９】
また、接触方式のリーダライタのヘッドはほこりやたばこの煙等に弱く、遊技場等のたばこの煙の多い場所ではタール等の付着により、読み取りエラーや読み取り不能になりやすいという問題がある。
【００１０】
本発明は上記した問題を解決するためになされたものであり、狭い場所に設置でき、ほこりやたばこの煙に強く誤動作しないで、管理の対象になっている事象の発生に店員が関与しているかどうかの判別を行なう遊技機付設処理装置および遊技場管理システムを提供することを目的とする。
【課題を解決するための手段】
【００１１】
上記した目的を達成するため、本発明の遊技機付設処理装置は、複数の遊技機の各々に隣接して付設され、中央管理装置と通信回線網を介して接続され、非接触方式でアンチコリジョン機能を有するＩＣカードのデータを略１０ｃｍ以下の範囲内で読み取りあるいは書き込む近接型のリーダライタを備える遊技機付設処理装置であって、リーダライタは、遊技機の客のＩＤデータを含む管理データを格納して該客が使用する第１の非接触ＩＣカードを、該カードのアンテナ部が読み取りあるいは書き込みの範囲内となるように保持する第１のカード保持部と、遊技場の従業員のＩＤデータを含む管理データを格納して該従業員が使用する第２の非接触ＩＣカードを、該カードのアンテナ部が読み取りあるいは書き込みの範囲内となるように保持する第２のカード保持部と、呼び出しコードを出力し、該コードに対して第１の非接触ＩＣカードと第２の非接触ＩＣカードとから同時に異なるＩＤデータが返信された場合、アンチコリジョン機能により各カードとの間で個別にデータを読み書きできるリーダライタ内制御部とを備え、
さらに、通信回線を介して中央管理装置から得られた管理側管理データおよび前記各非接触ＩＣカードから読み出されたカード側管理データを格納するデータ記憶部と、
遊技機に対する管理対象の事象が発生した時に、少なくとも第２の非接触ＩＣカードのカード側管理データについて、通信回線を介して中央管理装置から得られた管理側管理データと照合し、照合結果を中央管理装置に通知する付設装置側制御部とを有する。
【００１２】
また、本発明の遊技場管理システムは、遊技機付設処理装置と、該遊技機付設処理装置が接続される各遊技機と、通信回線網を介して各遊技機付設処理装置と接続される中央管理装置とから構成される遊技場管理システムであって、中央管理装置は、遊技機付設処理装置に対して通信回線を介して予め管理側管理データを送信し、遊技機付設処理装置は、予め受信した管理側管理データをデータ記憶部に格納しておき、第２の非接触ＩＣカードのカード側管理データの管理側管理データを、データ記憶部から読み出した管理側管理データと照合する。
【発明の効果】
【００１３】
本発明の遊技機付設処理装置は、リーダライタと客カードと店員カードに近接型で非接触式、さらにアンチコリジョン機能を有するＩＣカードを用い、従業員が使用する第２の非接触ＩＣカードのアンテナ部が読み取りあるいは書き込みの範囲内となるように保持する第２のカード保持部を設けたので、狭い場所に設置でき、ほこりやたばこの煙に強く誤動作させないで、管理の対象になっている事象の発生に店員が関与しているかどうかの判別を行なうことができる。
【発明を実施するための最良の形態】
【００１４】
実施の形態１．
以下、添付の図面を参照して本発明の実施の形態につき説明する。  
【００１５】
図１は、本発明の実施の形態１の遊技場管理システムの構成を示すブロック図である。
【００１６】
図１に示すように、パチンコ台等の遊技機３１ａ〜３１ｚは複数台が列をなすように配置され、遊技機付設処理装置１１ａ〜１１ｚは、各遊技機３１ａ〜３１ｚに対応して、各遊技機３１ａ〜３１ｚの左側に配設される。複数の遊技機付設処理装置１１ａ〜１１ｚは、ローカルエリアネットワーク（LAN）等の通信回線網５により、すべて中央管理装置１に接続され、中央管理装置１との間でデータ、制御信号の授受を行なっている。
【００１７】
中央管理装置１は、表示部２と、データ記憶部３と、指示入力部４を備える。表示部２は、例えば液晶表示装置であり、遊技機付設処理装置１１ａ〜１１ｚから伝達されたデータや記憶内容あるいは入力内容等を表示する。
【００１８】
データ記憶部３は、例えば大容量のハードディスク装置あるいは半導体メモリのようにデータやプログラムを一時的や不揮発性に記憶するためのものであり、各遊技機毎の管理データを格納する。指示入力部４は、例えばキーボードのように遊技場の従業員（店員）が管理データや暗証番号等を入力するためのものである。  
【００１９】
図２は、図１に示した本発明の遊技機付設処理装置および遊技機の構成を示すブロック図である。
【００２０】
図２に示すように、遊技機付設処理装置１１は、制御部１２と、ネットワークインターフェース１３と、データ記憶部１４と、プログラム記憶部１５と、遊技機インターフェース１６と、表示部１７と、キー入力部１８と、電源部１９、および、リーダライタ４１を備える。また、遊技機３１は、扉／木枠ロック解除部３２と、鍵操作検出部３３、および、扉／木枠解放検出部３４を備える。
【００２１】
制御部１２は、付設処理装置１１内の各部と接続され、各部を制御することで付設処理装置１１全体の動作を制御する。ネットワークインターフェース１３は、通信回線網５と接続され、中央管理装置１との間でデータ等の送受信を行う。データ記憶部１４は、リーダライタ４１から読み込まれたデータあるいは中央管理装置１から受信したデータ等を格納する。
【００２２】
プログラム記憶部１５は、例えば、リーダライタ４１から読み込まれたカードのデータと中央管理装置１から受信したデータとを照合するプログラム、カードが複数の場合のアンチコリジョンプログラム、キー入力部１８から入力されたデータと中央管理装置１から受信したデータとを照合するプログラム、遊技機３１の扉／木枠の解放の制御あるいは検出プログラム等を格納する。
【００２３】
遊技機インターフェース１６は、遊技機付設処理装置１１と遊技機３１とを接続する。表示部１７は、遊技機３１の現状や、記憶されたデータ、カードから読み出されたデータ、あるいは、キー入力部１８から入力されたデータを表示させる。キー入力部１８は、遊技機の使用者（遊技者）により選択入力あるいは指示入力に用いられたり、店員により指示入力や暗証番号の入力に用いられる。
【００２４】
電源部１９は、付設処理装置１１内の各部に電源電力を供給する。リーダライタ４１は、客が使用する第１の非接触ＩＣカード（客カード）と、店員が使用する第２の非接触ＩＣカード（店員カード）に格納されるデータを読み書きする。リーダライタ４１については、図３を用いて詳述する。
【００２５】
扉／木枠ロック解除部３２は、遊技機の扉あるいは木枠のロックを解除するものであり、例えば、駆動部を有して、鍵操作検出部３３により、鍵が挿入され右に回されたことが検出され、かつ所定の条件が満たされたときに、駆動部が動作して木枠を開放し、鍵操作検出部３３により、鍵が挿入され左に回されたことが検出され、かつ所定の条件が満たされたときに、駆動部が動作して扉（ガラス戸）を開放する。
【００２６】
鍵操作検出部３３は、遊技機の扉あるいは木枠の鍵が操作されたことを検出するものであり、例えば、鍵が鍵穴に挿入された後、左に回されたときと右に回されたときに各々を区別して検出するマイクロスイッチを有する。
【００２７】
扉／木枠解放検出部３４は、遊技機の扉あるいは木枠が解放されたことを検出するものであり、例えば、扉（ガラス戸）の開け閉めを検出するマイクロスイッチと、木枠の開け閉めを検出するマイクロスイッチを有する。なお、扉（ガラス戸）をあけた場合には、遊技機の盤面に設けられた各釘の調整を行ない得る。遊技台の木枠を開けた場合には、遊技機の内部が露出され、遊技機を制御する電子部品の修理交換が可能である。
【００２８】
鍵操作検出部３３と扉／木枠解放検出部３４の検出信号は、遊技機付設処理装置１１内の遊技機インターフェース１６、制御部１２に伝えられ、さらにその後、ネットワークインターフェース１３および通信回線網５を介して、中央管理装置１に伝えられる。  
【００２９】
図３は、図２に示した本発明の遊技機付設処理装置内のリーダライタおよび非接触ＩＣカードの構成を示すブロック図である。
【００３０】
図３に示すように、リーダライタ４１は、制御部４２と、外部装置インターフェース４３と、第２カード検出部４４と、第１カード検出部４５と、電力供給部４６と、リーダライタ（Ｒ／Ｗ）側アンテナ部４７と、無線周波数（ＲＦ）部４８と、送受信データ処理部４９と、および、電源部５０を備える。第１の非接触ＩＣカード６１は、制御部６２と、データ記憶部６３と、送受信データ処理部６４と、無線周波数（ＲＦ）部６５、および、カード側アンテナ部６６を備える。
【００３１】
リーダライタ４１は、非接触方式でアンチコリジョン機能を有するＩＣカードのデータを略１０ｃｍ以下の範囲内で読み取りあるいは書き込む近接型であり、アンチコリジョン機能を有する。
【００３２】
第１の非接触ＩＣカード６１は、近接型の非接触方式であり、アンチコリジョン機能に対応し、客カードとも称され、遊技客の識別番号（ＩＤデータ）、持ち玉（残り玉）数、前回の遊技日等のデータが格納され、玉貸し、貯玉、預り金の増加、商品の注文等に用いられる。
【００３３】
第２の非接触ＩＣカード７１は、近接型の非接触方式であり、アンチコリジョン機能に対応し、店員カードとも称され、店員の識別番号（ＩＤデータ）等が格納され、扉や木枠の解放等の管理の対象となる事象の発生に店員が関与したかどうかの判断、及び、関与した店員の特定のために利用される。第２の非接触ＩＣカード７１は、制御部７２と、データ記憶部７３と、送受信データ処理部７４と、無線周波数（ＲＦ）部７５、および、カード側アンテナ部７６を備える。
【００３４】
なお、第１の非接触ＩＣカード６１と第２の非接触ＩＣカード７１の内部構成は同様であるので、以下の第１の非接触ＩＣカード６１と第２の非接触ＩＣカード７１の説明において、符号が異なるのみで重複する説明については、第１の非接触ＩＣカード６１のみについて説明し、第２の非接触ＩＣカード７１については符号を読み替えることで説明を省略する。
【００３５】
リーダライタ４１内の制御部４２は、リーダライタ４１内の各部と接続され、各部を制御することでリーダライタ４１全体の動作を制御する。動作プログラムについては、図示しないプログラム記憶部に格納されるか、制御部４２内に格納されていることとする。外部装置インターフェース４３は、遊技機付設処理装置１１内のバス等（不図示）を介して付設処理装置の制御部１２と接続され、付設処理装置の制御部１２との間でデータ等の送受信を行う。
【００３６】
第２カード検出部４４は、遊技場の従業員（店員）が使用する第２の非接触ＩＣカード７１がリーダライタ４１内に挿入され、第２の非接触ＩＣカード７１のカード側アンテナ部７６が読み取りあるいは書き込みの範囲内になったことを検出する。第１カード検出部４５は、遊技場の客が使用する第１の非接触ＩＣカード６１がリーダライタ４１内に挿入され、第１の非接触ＩＣカード６１のカード側アンテナ部６６が読み取りあるいは書き込みの範囲内になったことを検出する。
【００３７】
電力供給部４６は、第１の非接触ＩＣカード６１および第２の非接触ＩＣカードに、リーダライタ側アンテナ部４７を介して電磁誘導による電力を供給する。リーダライタ（Ｒ／Ｗ）側アンテナ部４７は、第１の非接触ＩＣカード６１および第２の非接触ＩＣカードに電力を供給して起動させると共に、第１の非接触ＩＣカード６１および第２の非接触ＩＣカードとの間でデータを送受信する。
【００３８】
ＲＦ部４８は、各非接触ＩＣカード６１、７１に電力を供給するための無線周波数の信号を生成したり、データを送受信するために送信する無線周波数信号に対して変調を実施し、あるいは、受信した無線周波数信号に対して復調を実施する。送受信データ処理部４９は、例えば、リーダライタ４１の内部処理用のデータを送信用のデータに変換したり、受信したデータをリーダライタ４１の内部処理用のデータに変換する処理を実施する。電源部５０は、付設処理装置の電源部１９から受電した電力をリーダライタ４１内の各部に供給する。
【００３９】
第１の非接触ＩＣカード６１内の制御部６２は、第１の非接触ＩＣカード６１内の各部と接続され、各部を制御することで第１の非接触ＩＣカード６１全体の動作を制御する。動作プログラムについては、図示しないプログラム記憶部に格納されるか、制御部６２内に格納されていることとする。データ記憶部６３は、例えば、客のＩＤデータ、使用する遊技機のＩＤデータ、客の入金残高、あるいは、持ち玉量等の管理用データを格納する。なお、第２の非接触ＩＣカード７１内のデータ記憶部７３は、例えば、従業員（店員）のＩＤデータ等の管理用データを格納する。
【００４０】
送受信データ処理部６４は、例えば、第１の非接触ＩＣカード６１の内部処理用のデータを送信用のデータに変換したり、受信したデータを第１の非接触ＩＣカード６１の内部処理用のデータに変換する処理を実施する。無線周波数（ＲＦ）部６５は、リーダライタ４１から受信した無線周波数の信号を電磁誘導により電力として第１の非接触ＩＣカード６１内の各部に供給したり、データを送受信するために送信する無線周波数信号に対して変調を実施し、あるいは、受信した無線周波数信号に対して復調を実施する。
【００４１】
カード側アンテナ部６６は、リーダライタ４１からの無線周波数の電力用信号を受信し、リーダライタ４１との間でデータを送受信する。なお、第２の非接触ＩＣカード７１内の各部の説明については、上記した第１の非接触ＩＣカード６１内の各部の説明における符号を読み替えるのみであるので記載を省略する。
【００４２】
図４は、図３に示したリーダライタおよび非接触ＩＣカードの動作原理を示すブロック図である。
【００４３】
リーダライタ４１内では、制御部４２からの制御信号によりＲＦ部４８内の発振器４８ｂが駆動されて無線周波数の信号による磁束がＲ／Ｗ側アンテナ４７から出力される。第１の非接触ＩＣカード６１では、出力された磁束をカード側アンテナ６６で受けて誘導起電力を発生させ、カード用電力としてカード内の各部に供給する。なお、出力された磁束は、図示しない第２の非接触ＩＣカード７１でも受けられて誘導起電力を発生させて電力が供給されるが、その動作は第１の非接触ＩＣカード６１と同様であるので以下の説明は第１の非接触ＩＣカード６１のみについて行う。これにより、第１の非接触ＩＣカード６１および第２の非接触ＩＣカード７１が起動される。
【００４４】
その後、制御部４２の制御により、送受信データ処理部４９で生成された送信信号が送信データとしてＲＦ部４８内に入力される。ＲＦ部４８では、変調器４８ａで送信データを変調信号とし、発振器４８ｂから出力される無線周波数の信号を送信データの変調信号で変調する。変調された無線周波数の信号は、Ｒ／Ｗ側アンテナ部４７から送出される。
【００４５】
変調された無線周波数の信号は、第１の非接触ＩＣカード６１のカード側アンテナ部６６で受信されＲＦ部６５内の復調部６５ａで復調される。復調された受信データは送受信データ処理部６４で受信信号となり制御部６２の制御により照合等の各種処理が実施される。この受信信号は、送信側の送信信号と同じデータ内容を有する。また、例えば、受信信号がデータ記憶部６３のデータを読み出す信号である場合、第１の非接触ＩＣカード６１では、制御部６２の制御によりデータ記憶部６３からデータが送信信号として読み出され、送受信データ処理部６４で送信信号から送信データが生成され、送信データがＲＦ部６５の変調器６５ｂで変調され、カード側アンテナ部６６から変調された無線信号が送出される。
【００４６】
リーダライタ４１では、変調された無線信号をＲ／Ｗ側アンテナ４７で受信すると、ＲＦ部４８内の復調器４８ｃで復調して受信データとし、送受信データ処理部４９で受信信号を得る。この受信信号も、送信側の送信信号と同じデータ内容を有する。
【００４７】
このようにして、リーダライタ４１と第１の非接触ＩＣカード６１および第２の非接触ＩＣカード７１との間では、非接触であっても、磁束によりリーダライタ４１側から第１の非接触ＩＣカード６１および第２の非接触ＩＣカード７１に電力を供給できる範囲内では任意のデータの送受信が可能となる。つまり、この範囲が非接触ＩＣカードへの読み書き範囲となる。本実施の形態では、この範囲が１０ｃｍ未満の近接型のリーダライタおよび非接触ＩＣカードを利用している。また、この範囲は、リーダライタ側の送信電力およびアンテナ能力／形状、カード側の送信電力およびアンテナ能力／形状等により変更することができるが、読み書き範囲がリーダライタ４１あるいは遊技機付設処理装置１１の外部には出ないようにする。これは、誤って他の客カードや他の従業員カードを読みとってしまわないためである。
【００４８】
図５は、リーダライタ４１に第１の非接触ＩＣカード６１および第２の非接触ＩＣカード７１を挿入した場合の配置概念図である。
【００４９】
リーダライタ４１内には、Ｒ／Ｗ側アンテナ部４７を中心に半径がＰ１の範囲で読み書き（Ｒ／Ｗ）可能領域が形成されている。第１のカード挿入口５１は、第１の非接触ＩＣカード６１の挿入方向に対する断面の縦横寸法（図の場合は横寸法Ｌ１１）よりもやや大きい縦横寸法（図の場合は横寸法Ｌ１）で開口する挿入口である。第２のカード挿入口５２は、第２の非接触ＩＣカード７１の挿入方向に対する断面の縦横寸法（図の場合は横寸法Ｌ２１）よりもやや大きい縦横寸法（図の場合は横寸法Ｌ２）で開口する挿入口である。
【００５０】
第１のカード保持部５３は、第１の非接触ＩＣカード６１（客カード）の挿入方向に対する断面の縦横寸法（例えばＬ１１）よりも縦横寸法がやや大きく（例えばＬ１）開口したままで、第１のカード挿入口５１側の面から対向する面まで（図ではＬ５）貫通する貫通孔形状の保持部である。第２のカード保持部５４は、第２の非接触ＩＣカード７１（店員カード）の挿入方向に対する断面の縦横寸法（例えばＬ２１）よりも縦横寸法がやや大きく（例えばＬ２）開口したままで、第２のカード挿入口５２側の面から第２の非接触ＩＣカード７１の挿入方向寸法（図ではＬ２２）よりも短い寸法（図ではＬ６）で行き止まる穴形状の保持部である。
【００５１】
第２のカード保持部５４のカード挿入方向の寸法（Ｌ６）は、第２の非接触ＩＣカード７１内のアンテナ部７６が読み取りあるいは書き込みの範囲（Ｒ／Ｗ可能領域）内であり、かつ、第２の非接触ＩＣカード７１の非挿入側端が従業員（店員）により手動で取り出し可能となる分（図ではＬ７）だけ第２のカード挿入口５２から突出するという条件を満足する範囲内で、第２の非接触ＩＣカード７１の挿入方向の寸法（Ｌ２２）よりも小さく形成される。これは、第２の非接触ＩＣカード７１が、ローダを設けなくても店員が自分の店員カード（第２の非接触ＩＣカード７１）を第２のカード保持部５４から抜き出すことができるようにするためである。
【００５２】
これは、以下の理由による。リーダライタ４１から客のカード（第１の非接触ＩＣカード６１）を抜いてしまうと、その時点のデータが全て第１の非接触ＩＣカード６１には書き込まれるが、遊技機付設処理装置１１側のデータは初期状態にリセットされてしまうので、客が遊技機を継続して使用することを希望する場合には、客のカードを抜いてしまうことはできない。つまり、扉や木枠の解放等の管理対象の事象が発生した時に、店員が関与しているか否かを判断するためには、リーダライタ４１に、第２の非接触ＩＣカード７１（店員カード）用の第２のカード挿入口５２および第２のカード保持部５４が、必ず必要である。
【００５３】
しかし、遊技機付設処理装置１１は、隣り合う遊技機３１の間の狭いスペースに設置されるため、内部空間は限られており、リーダライタ４１に使用できる名部空間も限られので、店員カード用のローダを第２のカード保持部５４に設けることは空間使用効率上から好ましいことではない。そこで、第２の非接触ＩＣカード７１の非挿入側端が店員により手動で取り出し可能となるようにＬ７だけ第２のカード挿入口５２から突出させた。
【００５４】
ローダ５５は、例えば、弾性材料等によりカード側に加圧されつつ電動モータにより駆動されるローラであり、制御部４２の指示により第１のカード保持部５３に挿入された第１の非接触ＩＣカード６１（客カード）を所定位置まで引き込んで保持する。所定位置とは、第１の非接触ＩＣカード６１が、リーダライタ４１の第１のカード挿入口５１から突出しないように、第１の非接触ＩＣカード６１の挿入方向寸法（図ではＬ１２）以上に引き込まれた位置であって、かつ、第１の非接触ＩＣカード６１内のカード側アンテナ部６６が読み書き（Ｒ／Ｗ）可能領域内となる位置である。
【００５５】
このローダ５５は、例えば、客が遊技機３１使用を終了した場合には、その終了時データが書き込まれた第１の非接触ＩＣカード６１を、挿入時とは逆方向に移動させて排出する。また、ローダ５５は、例えば、客が第１の非接触ＩＣカード６１に記録された料金あるいは遊技媒体を使い切ってしまった場合には、そのデータが書き込まれた第１の非接触ＩＣカード６１を、挿入時よりもさらに先に移動させて遊技機付設処理装置の内部に回収する。
【００５６】
第１カード検出部４５は、図５では１箇所のみに設けているが、例えば、第１のカード挿入口５１の近くにローダ５５を駆動させる検出部を設け、その奥側に、第１の非接触ＩＣカード６１に電力を供給させるための検出部を設け、第１の非接触ＩＣカード６１が所定位置まで引き込まれたことを検出するために所定位置のカードの先端位置に検出部を設けるというように、３箇所に分散させて検出部を設けても良い。
【００５７】
第１カード検出部４５でカードが検出された場合には、制御部４２は、ローダ５５を駆動して第１の非接触ＩＣカード６１を所定位置まで引き込むと共に、電力供給部４６を駆動してＲＦ部４８の発振器４８ｂから無線周波数の信号を出力させ、第１の非接触ＩＣカード６１および第２の非接触ＩＣカード７１に電力の供給を開始する。
【００５８】
第２カード検出部４４は、図５では所定位置のカードの先端位置近くの１箇所のみに設けているが、例えば、第２のカード挿入口５２の近くに第２の非接触ＩＣカード７１に電力を供給させるための検出部を設け、第２の非接触ＩＣカード７１が所定位置まで引き込まれたことを検出するために所定位置のカードの先端位置に検出部を設けるというように、２箇所に分散させて検出部を設けても良い。
【００５９】
第１の非接触ＩＣカード６１および第２の非接触ＩＣカード７１が挿入されて図示した所定位置に配置された場合、第１の非接触ＩＣカード６１のカード側アンテナ６６も第２の非接触ＩＣカード７１のカード側アンテナ７６も、Ｒ／Ｗ側アンテナ部４７を中心に半径がＰ１の範囲の読み書き（Ｒ／Ｗ）可能領域内となる。この読み書き（Ｒ／Ｗ）可能領域は、リーダライタ４１の内部であり、外部では、第１の非接触ＩＣカード６１および第２の非接触ＩＣカード７１の読み書きは不可能である。
【００６０】
図６は、リーダライタ４１に第１の非接触ＩＣカード６１および第２の非接触ＩＣカード７１を挿入した場合の配置を図５よりも具体的に示した側面図および正面図である。
【００６１】
図６の側面図では、図５の概念図と異なり、リーダライタ４１の第１のカード保持部５３の上側に第２のカード保持部５４が配置されている。従って、第１のカード挿入口５１の上側に第２のカード挿入口５２が設けられることになる。
【００６２】
第１のカード挿入口５１は、第１の非接触ＩＣカード６１の挿入方向に対する断面の横寸法よりもやや大きい横寸法（Ｌ１）で開口している。第２のカード挿入口５２は、第２の非接触ＩＣカード７１の挿入方向に対する断面の横寸法よりもやや大きい横寸法（Ｌ２）で開口している。横寸法Ｌ２は、横寸法Ｌ１よりも正面図に示したＬ３およびＬ４の分だけ小さい。従って、第２の非接触ＩＣカード７１の挿入方向に対する断面における横寸法も、第２の非接触ＩＣカード７１の対応する寸法より小さくなる。これは、第２のカード挿入口５２に、客が誤って自分のカード（第１の非接触ＩＣカード６１）を挿入してしまう事態を防ぐためである。
【００６３】
リーダライタ４１では、第２の非接触ＩＣカード７１が挿入されると、まず、第１の非接触ＩＣカード６１と第２の非接触ＩＣカード７１に電力を供給する。そして、両方の非接触ＩＣカード６１、７１からＩＤデータ等の管理データが返信されたら、例えば、プログラム記憶部１５からアンチコリジョンのプログラムを読み出して実施する。アンチコリジョンのプログラムは、リーダライタ４１内の不図示の記憶部に記憶させて置いても良い。また、アンチコリジョンのプログラムの実施は、リーダライタ４１内の制御部４２、あるいは、遊技機付設処理装置１１の制御部１２の何れかで実施させればよい。
【００６４】
アンチコリジョンのプログラムとは、リーダライタが複数のカードから同時に異なるＩＤデータを受信した場合に、通信不能とならないようにカードからの返信手順を制御する機能のプログラムである。アンチコリジョンの方法としては、例えば、リーダライタが複数のカードから同時に異なるＩＤデータを受信する場合に、（１）衝突したＩＤビットの位置をリーダライタ４１で検出して各ＩＤのカードに対して通信手順を指示する方法、（２）カード側が返信を行う際にランダムな番号を生成してリーダライタに通知し、リーダライタからの対応する番号マーカの送出を受けてカードから返信する方法、（３）カードがランダム番号に相当する時間経過を待って返信する方法等がある。このアンチコリジョンプログラムにより、リーダライタ側では、希望するカードからの返信のみを受信することが可能となる。
【００６５】
次に、遊技機３１で故障等のトラブルが生じ、客により店員が呼ばれた場合の付設処理装置１１の動作について説明する。
【００６６】
トラブルが生じる前の付設処理装置１１は、客が自分のカード（第１の非接触ＩＣカード６１）をリーダライタ４１の第１のカード挿入口５１に挿入されている。第１の非接触ＩＣカード６１は、リーダライタ４１の内部にローダ５５により引き込まれ、第１のカード保持部５３における上記した所定位置（カード側アンテナ場６６がＲ／Ｗ可能領域内）に保持されている。
【００６７】
リーダライタ４１の電力供給部４６は、最初に第１の非接触ＩＣカード６１のデータを読み出す時、あるいは、変更された管理データを第１の非接触ＩＣカード６１に書き込む時を除いて、第１の非接触ＩＣカード６１には電力を供給しない。データを読み出す時あるいは書き込む時の電力供給時間は、例えば、制御部４２により、読み書きするデータの内容を解析して最初と最後を検出して時間を設定しても良いし、カードが検出された時から不図示のタイマにより読み書きに必要な時間を計時して設定しても良い。
【００６８】
また、中央管理装置１のデータ記憶部３には、全従業員の店員カードに格納されているＩＤデータ（従業員の識別番号：ＩＤ）と同じデータと、所定時間毎に変更される暗証番号等の管理データが予め格納されている。この管理データは、例えば、遊技機３１にトラブルが生じていない通常状態に、付設処理装置１１のネットワークインターフェース１３および通信回線網５を介してデータ記憶部１４に書き込まれる。つまり、付設処理装置１１のデータ記憶部１４には、予め、全従業員のＩＤデータと、その時点の暗証番号との管理データが格納されている。
【００６９】
暗証番号は、例えば、中央管理装置１の指示入力部４を用いて、従業員が入力するか、乱数発生装置等により生成される番号であり、中央管理装置１の表示部２に表示される。中央管理装置の表示部２は、従業員（店員）がこの暗証番号を知ることができる位置であり、客は知ることができない位置に配置される。つまり、従業員はその時点の暗証番号を知ることができるが、客はその時点の暗証番号を知ることができない。従業員（店員）は、トラブル発生時には、遊技機３１の扉あるいは木枠を解放する前に、必ず、付設処理装置１１のキー入力部１８を用いてこの暗証番号を入力することとする。
【００７０】
遊技場管理システムが上記した状態である場合で、遊技機３１の場所に到着した店員（従業員）は、まず、自分のカード（第２の非接触ＩＣカード７１）を、付設処理装置１１内のリーダライタ４１の第２のカード挿入口５２に挿入する。
【００７１】
付設処理装置１１は、第２カード検出部４４で第２の非接触ＩＣカード７１が検出されると、第１の非接触ＩＣカード６１と第２の非接触ＩＣカード７１に電力を供給して、リーダライタ４１から呼び出しコードを両カードに対して出力し、両カードからそのコードに対するＩＤデータ等の管理データの返信を受信する。
【００７２】
返信結果が、複数のカードから同時に異なるＩＤデータを受信する場合になった場合には、付設処理装置１１は、上記したアンチコリジョンプログラムを起動させ、第２の非接触ＩＣカード７１からの返信のみを受信する。
【００７３】
付設処理装置１１は、第２の非接触ＩＣカードのカード側管理データ、つまり、従業員のＩＤデータについて、通信回線５を介して中央管理装置１から得られた従業員のＩＤデータ（管理側管理データ）と照合する。このとき、付設処理装置１１は、キー入力部１８から暗証番号の入力がある場合には、暗証番号についても、中央管理装置１から得られた暗証番号（管理側管理データ）と照合する。これは、例えば、従業員が紛失あるいは置き忘れた店員カードを用いて、客が扉のあるいは木枠を開放する事態を避けるための二重の照合である。
【００７４】
上記した照合の結果が一致しない場合には、付設処理装置１１は、遊技機３１の扉／木枠ロック解除部３２によるロック解除動作、鍵操作検出部３３による鍵操作の検出、および、扉／木枠解放検出部３４による扉／木枠の解放の検出のうちから、少なくとも一つが実施あるいは検出された場合に、中央管理装置１に対して警報を送信するが、上記した照合の結果が一致する場合には、中央管理装置１に対して警報を送信しない。また、制御部１２は、管理側管理データとカード側管理データとの照合結果が一致する場合には、データ記憶部１４のカード側管理データを削除する。これにより、データ記憶部１４の記憶容量を削減することができる。
【００７５】
言い換えれば、付設処理装置１１は、店員カードのＩＤデータが予め格納されたデータと一致し、キー入力された暗証番号も予め格納されたデータと一致する場合、すなわち、二重の照合結果が両方とも一致する場合には、扉／木枠の解放等の管理対象となる事象が発生しても警報を出さないが、二重の照合結果が両方とも一致しない場合には、警報を出力する。
【００７６】
トラブルの処理が終了した店員（従業員）は、扉／木枠の解放等の管理対象となる事象を終了させた後、自分のカード（第２の非接触ＩＣカード７１）を、付設処理装置１１内のリーダライタ４１の第２のカード挿入口５２から手で引き抜いて取り出す。
【００７７】
その際に、第２の非接触ＩＣカード７１（店員カード）にはデータは書き込まれず、トラブルの発生から回復までの処理データは、遊技機３１の台番号を含む管理データと共に、例えば、付設処理装置１１からネットワークインターフェース１３および通信回線網５を介して中央管理装置１に送出（通知）される。
【００７８】
なお、本実施の形態では、通信時間を短縮させるために、従業員のＩＤデータや暗証番号等の管理側管理データを予めデータ記憶部１４に格納させたが、例えば、通信容量に余裕があり充分な通信速度が確保できる場合には、管理側管理データをデータ記憶部１４に格納させず、上記した照合を、中央管理装置１との通信により実施しても良い。  
【００７９】
このように、本実施の形態の付設処理装置では、リーダライタ、客カードおよび店員カードをアンチコリジョン機能を有する近接使用の非接触型とし、リーダライタには、遊技機の客用のカードを読み書き可能な範囲に保持する第１のカード保持部に加えて、従業員のＩＤデータを含む管理データを格納する従業員用のカードを読み書き可能な範囲に保持する第２のカード保持部を設け、カードが検出された後に各管理データを読み書きする時間のみ電力を供給させるようにしたので、狭い場所に設置でき、ほこりやたばこの煙に強く誤動作させないで、管理の対象になっている事象の発生に店員が関与しているかどうかの判別を行なうことができる。
【００８０】
また、本実施の形態の付設処理装置では、第２の非接触ＩＣカードは、第１の非接触ＩＣカードよりも、リーダライタにカードを挿入する方向の断面における横寸法が小さくなるように形成され、リーダライタの第２のカード保持部のカード挿入口は、第２の非接触ＩＣカードは挿入可能であるが第１の非接触ＩＣカードは挿入不能となる外形寸法であるように形成されるので、第１の非接触ＩＣカードが誤って第２のカード保持部に挿入される事態を避けることができる。
【００８１】
また、本実施の形態の付設処理装置では、第２のカード保持部のリーダライタにカードを挿入する方向の寸法は、第２の非接触ＩＣカード内のアンテナ部が読み取りあるいは書き込みの範囲内であり、かつ、第２の非接触ＩＣカードの非挿入側端を従業員により手動で取り出し可能となる分だけ第２のカード保持部のカード挿入口から突出させるように、第２の非接触ＩＣカードの挿入方向の寸法よりも小さく形成させたので、第２の非接触ＩＣカード用のローダを不要にでき、小型化できるので狭い場所に設置しやすくできる。
【００８２】
また、本実施の形態の遊技場管理システムでは、中央管理装置は、遊技機付設処理装置に対して通信回線を介して予め管理側管理データを送信し、遊技機付設処理装置は、予め受信した管理側管理データをデータ記憶部に格納しておき、第２の非接触ＩＣカードのカード側管理データを、データ記憶部から読み出した管理側管理データと照合するので、照合内容を通信回線で中央管理装置と送受信する必要が無くなり、データの照合を迅速に実施することができる。
【００８３】
また、本実施の形態の遊技場管理システムでは、中央管理装置は、従業員がキー入力部から入力する管理データに対応する管理側管理データ（暗証番号）を、通信回線を介して所定の時間毎に変更するので、管理対象の事象に対する店員が関与の判断について、その確実性および安全性をさらに高めることができる。
【００８４】
なお、管理対象の事象については、上記した木枠、ガラス戸の開放、あるいは、鍵操作による木枠、ガラス戸の他に、商品の注文（配達依頼）に対する商品の配達の完了、休憩の開始および終了とうが考えられ、それらの場合にも上記した本発明を適用し効果を得ることができる。
【図面の簡単な説明】
【００８５】
【図１】本発明の実施の形態１の遊技場管理システムの構成を示すブロック図である。
【図２】図１に示した本発明の遊技機付設処理装置および遊技機の構成を示すブロック図である。
【図３】図２に示した本発明の遊技機付設処理装置内のリーダライタおよび非接触ＩＣカードの構成を示すブロック図である。
【図４】図３に示したリーダライタおよび非接触ＩＣカードの動作原理を示すブロック図である。
【図５】リーダライタに第１の非接触ＩＣカードおよび第２の非接触ＩＣカードを挿入した場合の配置概念図である。
【図６】リーダライタに第１の非接触ＩＣカードおよび第２の非接触ＩＣカードを挿入した場合の配置を図５よりも具体的に示した側面図および正面図である。
【符号の説明】
【００８６】
１  中央管理装置、  ２  表示部、  ３  データ記憶部、  ４  指示入力部、  ５  通信回線網、  １１、１１ａ〜１１ｚ  遊技機付設処理装置、  １２  制御部、  １３  ネットワークインターフェース、  １４  データ記憶部、  １５  プログラム記憶部、  １６  遊技機インターフェース、  １７  表示部、  １８  キー入力部、  １９  電源部、  ３１、３１ａ〜３１ｚ  遊技機、  ３２  扉／木枠ロック解除部、  ３３  鍵操作検出部、  ３４  扉／木枠解放検出部、  ４１  リーダライタ、  ４２  制御部、  ４３  外部装置インターフェース、  ４４  第２カード検出部、  ４５  第１カード検出部、  ４６  電力供給部、  ４７  リーダライタ（Ｒ／Ｗ）側アンテナ部、  ４８  無線周波数（ＲＦ）部、  ４８ｂ  発振器、  ４８ａ  変調器、  ４８ｃ  復調器、  ４９  送受信データ処理部、  ５０  電源部、  ５１  第１のカード挿入口、  ５２  第２のカード挿入口、  ５３  第１のカード保持部、  ５４  第２のカード保持部、  ５５  ローダ、  ６１  第１の非接触ＩＣカード（客カード）、  ６２、７２  制御部、  ６３、７３  データ記憶部、  ６４、７４  送受信データ処理部、  ６５、７５  無線周波数（ＲＦ）部、  ６６、７６  カード側アンテナ部、  ７１  第２の非接触ＩＣカード（店員カード）
【図１】
2005080679.tif 000003
【図２】
2005080679.tif 000004
【図３】
2005080679.tif 000005
【図４】
2005080679.tif 000006
【図５】
2005080679.tif 000007
【図６】
2005080679.tif 000008